(57)【要約】【課題】学習椅子として、木製椅子および回転椅子の長所を兼ね備えた椅子が望まれていた。【解決手段】ハイブリッドチェアー１は、座板２が１本の支柱３で支えられている。座板２の高さ調整は、操作ハンドル１３を操作することによりガスシリンダの作用で容易に行える。一方、脚ベース４、一対の側部材５および背板６の構成は、従来の木製椅子の形態が採用されており、全体として安定性の良い構成が実現されている。このように、ハイブリッドチェアー１は、従来の回転椅子の長所および木製椅子の長所が取り出されて構築された新規な構造形態をしている。【選択図】図１
2007319366.tif 000002
【特許請求の範囲】
【請求項１】
着座者の尻を載せるための座板と、
座板を回転可能に、かつ、昇降可能に支えるために垂直に上下に延びていて、上端が座板の下面中央に連結されている支柱と、
前後に水平に延びる左フレーム、前後に水平に延びる右フレーム、ならびに、左フレームおよび右フレーム間を連結している連結フレームを含み、連結フレームの左右方向中央部に前記支柱の下端が取り付けられている脚ベースと、
左フレームの前方下部および後方下部ならびに右フレームの前方下部および後方下部にそれぞれ取り付けられ、脚ベースを床面に沿って移動可能にしている４つのキャスターと、
左フレームから上方へ立ち上がり、途中から斜め後方へ延びた左側部材、および、右フレームから上方へ立ち上がり、途中から斜め後方へ延びた右側部材を有し、左右対称形状の一対の側部材と、
左右一対の側部材の上端間をつなぐように設けられている背板と、
を含むことを特徴とするハイブリッドチェアー。
【請求項２】
前記支柱は、上下の長さを可変できるガスシリンダ式伸縮ユニットを含むことを特徴とする、請求項１記載のハイブリッドチェアー。
【請求項３】
前記左右一対の側部材には、着座者が足を載せるための足台が、異なる高さ位置に取り付け可能になっていることを特徴とする、請求項１または２記載のハイブリッドチェアー。
【発明の詳細な説明】
【技術分野】
【０００１】
この発明は、木製椅子の長所および回転椅子の長所が兼ね備えられた新規な形態の椅子、すなわちハイブリッドチェアーに関し、特に、学習机等に向かって座る児童、生徒向けの学習椅子としてのハイブリッドチェアーに関する。
【背景技術】
【０００２】
学習机等に向かって座る子供用の学習椅子は、現状、回転椅子が約７割、木製椅子が約３割の割合で市場に出ている。
子供用の学習椅子という観点から見た回転椅子および木製椅子は、それぞれ、一長一短を有する。
回転椅子は、ガスシリンダにより座板の高さを簡単に調整可能であるとともに、座板は、布張りタイプ、合成レザー張りタイプ等で座り心地が良い。また椅子全体は、キャスターで移動自在で、座板も回転自在であるから、着座時の適応性が良いという利点がある。
【０００３】
ところが、これら利点は、体格の小さな子供にとっては、欠点になることがある。すなわち、座板に着座した子供の足が床に届かない場合は、キャスターによって移動自在な回転椅子を所望の位置にしたり、座板を所望の位置に向けたりしにくいという欠点がある。また、回転椅子は、通常、中心から放射状に広がった５本の脚で支持されているが、子供が座板上に乗って座板を回転させたり、傾けたりした際に、思わぬ方向に移動したり、転倒したりする危険性があった。
【０００４】
また、回転椅子に対して、足載せ台を取り付けたものも提案されている（特許文献１）。
一方、木製椅子は、その下端部が平面視矩形をしており、床面に安定して配置される。また、座板は自在に回転しないから、子供が座ったときに座板を回転させて遊んだりせず、安全でかつ安定した構造をしている。ところが、木製椅子の場合は、子供の体格に合わせて座板の高さを調整する機構が、通常、ねじ等により行われる構成となっているため、その調整が面倒であるという課題がある。この種の木製椅子は、特許文献２、３に開示されている。
【特許文献１】特開２００４−３２１６７２号公報
【特許文献２】特開２０００−２５３９６２号公報
【特許文献３】特開２００２−６５４１３号公報
【発明の開示】
【発明が解決しようとする課題】
【０００５】
この発明は、従来の回転椅子および木製椅子がそれぞれ有している長所のみを備え、子供や体格の小さな着座者に対して快適に使用可能なハイブリッドチェアーを提供することを主たる目的とする。
この発明は、また、木製椅子のデザインを基本にし、座板の上下調整が容易で、かつ椅子全体が前後移動可能で、かつ、安全性の良いハイブリッドチェアーを提供することを他の目的とする。
【課題を解決するための手段】
【０００６】
上記目的を達成するため、本願発明は、請求項１〜３記載の構成を具備している。すなわち、請求項１記載の発明は、着座者の尻を載せるための座板と、座板を回転可能に、かつ、昇降可能に支えるために垂直に上下に延びていて、上端が座板の下面中央に連結されている支柱と、前後に水平に延びる左フレーム、前後に水平に延びる右フレーム、ならびに、左フレームおよび右フレーム間を連結している連結フレームを含み、連結フレームの左右方向中央部に前記支柱の下端が取り付けられている脚ベースと、左フレームの前方下部および後方下部ならびに右フレームの前方下部および後方下部にそれぞれ取り付けられ、脚ベースを床面に沿って移動可能にしている４つのキャスターと、左フレームから上方へ立ち上がり、途中から斜め後方へ延びた左側部材、および、右フレームから上方へ立ち上がり、途中から斜め後方へ延びた右側部材を有し、左右対称形状の一対の側部材と、左右一対の側部材の上端間をつなぐように設けられている背板と、を含むことを特徴とするハイブリッドチェアーである。
【０００７】
請求項２記載の発明は、前記支柱は、上下の長さを可変できるガスシリンダ式伸縮ユニットを含むことを特徴とする、請求項１記載のハイブリッドチェアーである。
請求項３記載の発明は、前記左右一対の側部材には、着座者が足を載せるための足台が、異なる高さ位置に取り付け可能になっていることを特徴とする、請求項１または２記載のハイブリッドチェアーである。
【発明の効果】
【０００８】
請求項１記載の発明によれば、座板は、従来の回転椅子と同様、支柱により回転自在に支えられており、かつ、その高さを調整できるように、昇降可能にされている。
一方、脚ベースは、左フレームおよび右フレームならびに連結フレームを有し、平面視において、脚ベースの端部をつないだ輪郭は矩形をしており、前後および左右の四隅に左右フレームの端部が位置している。このような脚ベースによって支柱の下端が支持されているから、座板は安定して支えられている。そして、脚ベースの前後および左右の四隅にはキャスターが備えられているから、椅子全体は床面上を容易に移動可能になっている。      
【０００９】
座板および支柱は、従来の回転椅子の構成を用いて作ることができ、しかも座板が自由に回転するのを簡単な構成で防止することができる。そして左右一対の側部材は、背板を支える役目もしており、全体形状は、従来の木製椅子の形状をベースとして、これに回転椅子の機能が付加された椅子となっている。
かかる椅子は、子供や体格の小さな着座者に対して使い勝手が良く、かつ安全に利用できる。
【００１０】
請求項２記載の発明では、ガスシリンダにより座板の高さを容易にかつ自由に調整することができる。ガスシリンダは、従来の回転椅子の支柱等に多数利用されており、部品単価も安価で、この発明に係るハイブリッドチェアーの部品として活用することができる。  請求項３記載の発明では、特に体格の小さな着座者が、床に足が届かない場合に、その足を載せることができ、便利である。請求項３記載の発明は、学習椅子、特に小学校低学年の児童向けの学習椅子として利用する場合に最適なものである。
【００１１】
以上のように、この発明によれば、回転椅子の長所と木製椅子の長所とを兼ね備えた使い勝手の良いハイブリッドチェアーを提供することができる。
【発明を実施するための最良の形態】
【００１２】
以下には、図面を参照して、この発明の具体的な実施形態について説明をする。
図１は、この発明の一実施形態に係るハイブリッドチェアーの正面図であり、図２は、その右側面図であり、図３は、その平面図である。また、図４は、図１のＡ−Ａに沿う縦断面図である。
図１〜図４を参照して、ハイブリッドチェアー１は、着座者が尻を載せる座板２と、座板２を支えている１本の支柱３と、支柱３を支えている脚ベース４と、脚ベース４に立設され、上方に向かって立ち上がり、かつ、途中から斜め後方へ延びている一対の側部材５と、側部材５の上端間に備えられた背板６と、脚ベース４の四隅に取り付けられた４個のキャスター７と、一対の側部材５の下方間に取り付けられた足置き台８とを有している。      
【００１３】
ハイブリッドチェアー１の特徴は、座板２が１本の支柱３で支えられており、従来の回転椅子と同様に、座板２の高さ調整が容易に行えること、および、脚ベース４、一対の側部材５および背板６の構成は、従来の木製椅子の形態が採用されており、全体として安定性の良い構成が実現されていることである。つまり、ハイブリッドチェアー１は、従来の回転椅子の長所および木製椅子の長所が兼ね備えられるように構築された新規な構造形態をした学習椅子となっている。
【００１４】
ハイブリッドチェアー１の座板２は、平面視が角が丸まった略長方形状をしており（図３参照）、その上面は、着座者の尻を安定に、かつ、弾力的に支えられるように、たとえば布製カバーで覆われている。布製カバー内には、ウレタンその他の弾性体２１が配置されている（図４参照）。
座板２の下方には、座板２を支える支柱３が設けられている。支柱３は、垂直に上下に延びるベース筒９と、ベース筒９と同軸に備えられており、ベース筒９から上方へ突出するシャフト１０とを有している。そしてシャフト１０の上端は、座板２の下面中央に、高さ調整操作部１１を介して連結されている。ベース筒９の下方は取り付け部材１２を用いて、脚ベース４の中央（平面視における中央部）に取り付けられている。
【００１５】
高さ調整操作部１１には操作ハンドル１３が備えられており、この操作ハンドル１３を操作することにより、支柱３は、内蔵されたガスシリンダの作用で、シャフト１０のベース筒９からの突出量を調整できる。従って座板２の高さを、上下に所望の高さになるように調整することが可能である。
このように、座板２は従来の回転椅子に備えられているものと同様の支柱で支えられており、ガスシリンダ機構を利用して、容易にその高さを調整できる。
【００１６】
なお、図４に示す縦断面図においては、ガスシリンダ機構や高さ調整機構等の内部構造については省略された図となっている。
支柱３は、座板２を回転自在に支持している。しかし、後述するように、座板２の回転は規制されており、座板２が自由に回転することにより着座者が座った時の方向が安定しないという事態が防止されている。
【００１７】
脚ベース４は、前後に水平に直線状に延びる左フレーム１４と、前後に水平に直線状に延びる右フレーム１５と、左フレーム１４および右フレーム１５間を連結している水平な連結フレーム１６とを含んでいる。左フレーム１４は、木材で構成されたメインフレーム１４ａと、その内側に沿って配置された補強用の、金属で構成された補強フレーム１４ｂとを有している。同様に、右フレーム１５も、メインフレーム１５ａおよび補強フレーム１５ｂを有している。この実施形態では、連結フレーム１６は、両端が補強フレーム１４ｂ、１５ｂに溶接された金属フレームで構成されている。しかし、補強フレーム１６も、木製椅子としての見栄えを出すために、木材で構成されたメインフレームと金属でできた補強フレームとを有する構成としてもよい。
【００１８】
連結フレーム１６の後方側には、左右フレーム１４、１５間に掛け渡された水平な物置板１７が備えられている（図４参照）。
左フレーム１４、より具体的には左メインフレーム１４ａには、左側部材５が立設されている。両者は、木製で、一体構造を有している。左メインフレーム１４ａを前後方向に見て、前方から約３分の１の位置から垂直上方へ突出するように、側部材５の下方部５１が立設されており、下方部５１は上方へ延びた後、途中で後方に湾曲し、後方に向かって斜め上方に延びた上方部５２を有している。
【００１９】
右メインフレーム１５ａにも、左メインフレーム１４ａと対称の位置に、側部材５が備えられている。右側部材５も、左側部材５と同様に、下方部５１および上方部５２を有しており、左右の側部材５は、左右対称な形状をしている。
左右一対の側部材５の上端には、両側部材５間に掛け渡されるように背板６が取り付けられている。背板６は、一対の側部材５の上端部間を連結する連結板２５と、連結バー２６とにより、着座者にとって、もたれ易い角度になるように取り付けられている。背板６の表面は、座板２の上面と同様、着座者の背を安定に、かつ、弾力的に支えられるように、たとえば布製カバーで覆われており、布製カバー内には、ウレタンその他の弾性体６１が配置されている。
【００２０】
ところで、左メインフレーム１４ａおよび右メインフレーム１５ａに立設された左右一対の側部材５は、座板２の両側に配置されており、座板２の左右側縁に近接または当接している。このため、座板２を回転させようとしても、座板２の左右側縁が一対の側部材５と干渉するので、その回転が規制されている。なお、支柱３に内蔵されたガスシリンダ等の内部機構により、座板２は、回転可能な状態と回転できない状態とに切り換えられるようにされていてもよい。この実施形態では、内部機構により座板２の回転を規制できると共に、一対の側部材５によっても、座板２の回転を規制できる構成となっている。
【００２１】
脚ベース４の下面には、その四隅に、それぞれ、キャスター７が取り付けられている。より具体的には、左補強フレーム１４ａの下面側の前端および後端、ならびに右補強フレーム１５ｂの下面側の前端および左端に、それぞれ、キャスター７が設けられている。従ってハイブリッドチェアー１は床面に沿ってキャスター７によって軽く移動可能である。  ハイブリッドチェアー１には、さらに、足置き台８が備えられている。足置き台８は、着座者が体格の小さな子供で、着座者の足が床面まで届かない場合に、足を載せるために設けられたものである。
【００２２】
足置き台８は、たとえば木製の板であって、その両端が左右側部材５の下方部５１で保持されるようになっている。そのため、左右側部材５の下方部５１の互いに対向する内側面側には、足置き台８を係止するための係止溝２７ａ、２７ｂが形成されている。足置き台８は、たとえばハイブリッドチェアー１の前方側から水平に、その両端が係止溝２７ａまたは２７ｂと係合するように、水平方向に後方へ挿入される。いずれの係止溝２７ａまたは２７ｂを選ぶかにより、足置き台８の取り付け位置の高さを変えることができる。
【００２３】
より安全のため、足置き板８は、係止溝２７ａまたは２７ｂに係合された後、側部材５の外側面側から固定ねじ等によって固定できる構成である。
なお、足置き台８は、左右方向中央後方部に、支柱３のベース９とぶつからないように、切欠が形成されている。
足置き台８は、着座者が子供等の体格の小さな者でない場合には、取り外すことができる。
【００２４】
この発明に係るハイブリッドチェアーは、上述した実施形態の内容に限定されるものではなく、請求項記載の範囲内において種々の変更が可能である。
【図面の簡単な説明】
【００２５】
【図１】この発明の一実施形態に係るハイブリッドチェアーの正面図である。
【図２】ハイブリッドチェアーの右側面図である。
【図３】ハイブリッドチェアーの平面図である。
【図４】図１に示すＡ−Ａに沿う縦断面図である。
【符号の説明】
【００２６】
１    ハイブリッドチェアー
２    座板
３    支柱
４    脚ベース
５    側部材
８    足置き台
１４、１４ａ、１４ｂ    左フレーム
１５、１５ａ、１５ｂ    右フレーム
１６    連結フレーム
【図１】
2007319366.tif 000003
【図２】
2007319366.tif 000004
【図３】
2007319366.tif 000005
【図４】
2007319366.tif 000006